(57)【要約】      （修正有）【課題】従来の砥ぎ器構造における欠点を解決し、吸着式砥ぎ器構造を提供する。【解決手段】吸着式砥ぎ器構造は、吸盤１０と、メインベース２０と、砥石セット３０と、蓋板４０と、制御レバー５０と、上蓋６０とを含む。そして、吸盤の頂部表面に引っ張り棒が伸び、メインベースは階段状を呈し、高さが低い第一本体部２１と高さが高い第二本体部２２がある。該第一本部体の上に貫通孔２１１が設けられ、第二本体部の頂部表面に挿し込み孔が設けられる。上記第二本体部の前端に内凹して収容溝２２２があり、該収容溝の下方に位置限定溝２２３が設けられる。蓋板は適度な透明度があり、頂部縁と底縁に上位置限定ピース４１と下位置限定ピース４２がそれぞれ伸びる。制御レバー５０は通過孔５１があるリング体であり、該制御レバーの片側中央に結合部が設けられ、上述結合部は偏心方式によって押し付けブロック５３が形成される。上蓋の前端に下へ曲がる阻止縁６１があり、頂部表面に透過孔が貫通される。【選択図】図２
0003222327.tif 000002
【実用新案登録請求の範囲】
【請求項１】
吸盤と、メインベースと、砥石セットと、蓋板と、制御レバーと、上蓋とを含む吸着式砥ぎ器構造であって、
上記吸盤は吸着力があり、頂部表面に引っ張り棒が伸び、
上記メインベースは階段状を呈し、高さが低い第一本体部と高さが高い第二本体部があり、上記第一本部体の上に貫通孔が設けられ、上記吸盤は上記メインベースの下方に設置され、上記メインベースによって上記吸盤の頂部表面が押さえ付けられる時、上記吸盤の引っ張り棒は上記メインベースの内部より上記貫通孔を通って突き出され、また上記第二本部体の頂部表面は挿し込み孔が設けられ、上記第二本部体の前端に内凹して上記第二本部体の頂部縁を上へ貫通する収容溝があり、上記収容溝の下方に位置限定溝が設けられ、上記位置限定溝によって上記蓋板を上記収容溝内に入れた後、上記蓋板と合致し、上記上蓋の結合を合わせると上記収容溝の溝底面と上記蓋板の間に指示部材が挟まれ固定され、
上記砥石セットは二枚の砥石より重ねてなり、重ねた後に上記砥石セットの中央に砥ぎ空間が形成され、
上記蓋板は適度な透明度があり、かつ上記収容槽の形に合わせた板体であり、上記蓋板の頂部縁と底縁に上位置限定ピースと下位置限定ピースがそれぞれ伸び、上記蓋体は下位置限定ピースによって上記位置限定溝の中に先に挿し込まれ、上記蓋板が上記収容溝内に完全に収容される時、上記上蓋と上記メインベースの組み合わせを利用することで、上記上蓋の前端にある下へ曲がる阻止縁によって上記上位置限定ピースが前へ離脱することを制限し、また上記上蓋が取り外しできる設計によって上記蓋板と指示部材は必要に応じて交換でき、
上記制御レバーは通過孔があるリング体であり、上記制御レバーの片側中央に結合部が設けられ、上記結合部は偏心方式によって押し付けブロックが形成され、上記制御レバーは通過孔を利用して回避されるため、上記結合部によって上記貫通孔より伸びた上記引っ張り棒にスムーズに枢接され、上記制御レバーを捻ることによって上記押し付けブロックが偏心して上記第一本体部に当たるだけでなく、上記吸盤も引っ張られるため、その内部に真空吸引力が生じ、
上記上蓋の前端に下へ曲がる阻止縁があり、頂部表面に透過孔が貫通され、上記透過孔の後方に上へ隆起してV字型の窪みを有する支持ブロックがあり、上記支持ブロックの前端には上記二枚の砥石を重ね合わせて階段状に設け、上記砥石セットが上記メインベースの挿し込み孔内に入れられる時、上記上蓋と上記メインベースの第二本体部の締め付けによって、上記砥石セットは上記メインベースに位置限定され、上記透過孔によって上記砥石セットの上部が突き抜け、上記砥石セットの二枚の砥石はその後端によって上記支持ブロックに当てられることで、当て合わせることによって刃物を研ぐ時の安定性が大幅に向上されることを特徴とする吸着式砥ぎ器構造。
【請求項２】
上記吸盤とメインベースの間にバネが挟んで設けられることを特徴とする請求項１の吸着式砥ぎ器構造。
【請求項３】
上記挿し込み孔、透過孔と支持ブロックは傾斜状を呈し、上記砥石セットは取り付けた後に後ろへ５から１０度の傾斜角ができることを特徴とする請求項１の吸着式砥ぎ器構造。
【請求項４】
上記指示部材は企業または個人のイメージが掲載できるプレートであることを特徴とする請求項１の吸着式砥ぎ器構造。
【請求項５】
上記指示部材は砥ぎ性質が異なることによって区分できるラベルであることを特徴とする請求項１の吸着式砥ぎ器構造。
【請求項６】
上記蓋板の上位置限定ピースは数切れに分断されることを特徴とする請求項１の吸着式砥ぎ器構造。
【請求項７】
上記蓋板の表面は連続した起伏であることを特徴とする請求項１の吸着式砥ぎ器構造。
【請求項８】
上記蓋板の表面はひし形状であることを特徴とする請求項１の吸着式砥ぎ器構造。
【請求項９】
上記蓋板の表面は完全な平坦状であることを特徴とする請求項１の吸着式砥ぎ器構造。
【考案の詳細な説明】
【技術分野】
【０００１】
本考案は吸着式砥ぎ器構造に関し、特に吸盤で吸着する方式によって固定する砥ぎ器構造に関する。
【背景技術】
【０００２】
刃物は一定の使用時間が経過すると、常にカットに使うことで、刃が徐々に鈍くなったりする。刃物が鈍くなった後、元の鋭さに戻すために、一般的なやり方は砥石を使って、刃物を鋭く砥ぐ。しかし、伝統的な砥石は重くて収納しにくいため、市販には砥石を小さく設置し、該砥石をベースに結合する砥ぎ器構造がある。しかし、前述の砥石をベースに結合する方式では使用時に片手で刃物を握ったまま砥石の上にスライドさせ、もう片手はベースを持たなければならないため、使用上において比較的大きい危険性がある。
【０００３】
従って、上述のような従来の砥ぎ器における欠点について研究改良することは実に関係業界が努力して開発すべき目標であるため、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００４】
従来技術に存在する上述の欠点について解決し、吸着式砥ぎ器構造を提供する。
【課題を解決するための手段】
【０００５】
本考案の吸着式砥ぎ器構造は、吸盤と、メインベースと、砥石セットと、蓋板と、制御レバーと、上蓋とを含む。その中、吸盤は吸着力があり、頂部表面に引っ張り棒が伸び、メインベースは階段状を呈し、高さが低い第一本体部と高さが高い第二本体部がある。該第一本部体の上に貫通孔が設けられ、上述吸盤は該メインベースの下方に設置される。該メインベースによって上述吸盤の頂部表面が押さえ付けられる時、上述吸盤の引っ張り棒は上述メインベースの内部より該貫通孔を通って突き出され、また該第二本部体の頂部表面は挿し込み孔が設けられる。上述第二本部体は上述第一本部体と異なる前端に該第二本部体の頂部縁を内凹して上へ貫通する収容溝がある。該収容溝の下方に位置限定溝が設けられ、該位置限定溝によって上述蓋板を上述収容溝内に入れた後、上述蓋板と合致し、上述上蓋の結合を合わせると上述収容溝の溝底面と上述蓋板の間に指示部材が挟まれ固定される。砥石セットは二枚の砥石より重ねてなり、該重ねた後に上述砥石セットの中央に砥ぎ空間が形成される。蓋板は適度な透明度があり、かつ上述収容槽の形に合わせた板体である。該蓋板の頂部縁と底縁に上位置限定ピースと下位置限定ピースがそれぞれ伸び、上述蓋体は下位置限定ピースによって上述位置限定溝の中に先に挿し込まれ、上述蓋板が上述収容溝内に完全に収容される時、上述上蓋と上述メインベースの組み合わせを利用することで、上述上蓋の前端にある下へ曲がる阻止縁によって該上位置限定ピースが前へ離脱することを制限し、また上述上蓋が取り外しできる設計によって上述蓋板と指示部材は必要に応じて交換できる。制御レバーは通過孔があるリング体であり、該制御レバーの片側中央に結合部が設けられ、上述結合部は偏心方式によって押し付けブロックが形成され、該制御レバーは通過孔を利用して回避されるため、上述結合部によって上述貫通孔より伸びた上述引っ張り棒にスムーズに枢接され、該制御レバーを捻ることによって上述押し付けブロックが偏心して上述第一本体部に当たるだけでなく、上述吸盤も引っ張られるため、その内部に真空吸引力が生じる。上蓋の前端に下へ曲がる阻止縁があり、頂部表面に透過孔が貫通され、該透過孔の後方に上へ隆起してV字型の窪みを有する支持ブロックがある。該支持ブロックの前端には上述二枚の砥石を重ね合わせて階段状に設け、上述砥石セットが上述メインベースの挿し込み孔内に入れられる時、該上蓋と上述メインベースの第二本体部の締め付けによって、上述砥石セットは該メインベースに位置限定され、上述透過孔によって該砥石セットの上部が突き抜け、上述砥石セットの二枚の砥石はその後端によって上述支持ブロックに当てられることで、該当て合わせることによって刃物が研ぐ時の安定性が大幅に向上され、これによって、吸着式砥ぎ器構造が得られる。
【０００６】
（一）本考案は使用時に砥ぎ器本体は平面に吸着できるため、片手で握ったり、掴んだりする必要がなく、砥ぐ過程において掴む手が怪我する恐れがないため、使用上はより安全である。
【０００７】
（二）本考案は上述蓋板と指示部材の取り付けによって、企業または個人のイメージが掲載でき、該吸着式砥ぎ器はお客様の異なる需要によってオーダーメイドでき、または消費者の使用習慣、砥ぐ性質が異なることにより、自分で区分することができ、該創新的なデザインによって上述吸着式砥ぎ器の実用性と付加価値が再び大幅に向上される。
【図面の簡単な説明】
【０００８】
【図１】図１は、本考案に係る吸着式砥ぎ器構造を示す第一実施例の立体組合せ図である。
【図２】図２は、本考案に係る吸着式砥ぎ器構造を示す第一実施例の立体分解図である。
【図３】図３は、本考案に係る吸着式砥ぎ器構造を示す第一実施例の組合せ断面図である。
【図４】図４は、本考案に係る吸着式砥ぎ器構造を示す第一実施例の平面組合せ図である。
【図５】図５は、本考案に係る吸着式砥ぎ器構造を示す第二実施例図である。
【図６】図６は、本考案に係る吸着式砥ぎ器構造を示す第三実施例図である。
【図７】図７は、本考案に係る吸着式砥ぎ器構造を示す第四実施例図である。
【図８】図８は、本考案に係る吸着式砥ぎ器構造を示す第五実施例図である。
【考案を実施するための形態】
【０００９】
まず、図１から図４を参照されたい。本考案の吸着式砥ぎ器構造は、吸盤（１０）と、メインベース（２０）と、砥石セット（３０）と、蓋板（４０）と、制御レバー（５０）と、上蓋（６０）とを含む。その中、吸盤（１０）は吸着力があり、頂部表面に引っ張り棒（１１）が伸び、メインベース（２０）は階段状を呈し、高さが低い第一本体部（２１）と高さが高い第二本体部（２２）がある。該第一本部体（２１）の上に貫通孔（２１１）が設けられ、上述吸盤（１０）は該メインベース（２０）の下方に設置される。該メインベース（２０）によって上述吸盤（１０）の頂部表面が押さえ付けられる時、上述吸盤（１０）の引っ張り棒（１１）は上述メインベース（２０）の内部より該貫通孔（２１１）を経って突き出され、また該第二本部体（２２）の頂部表面は挿し込み孔（２２１）が設けられる。上述第二本部体（２２）は上述第一本部体（２１）と異なる前端に該第二本部体（２２）の頂部縁を内凹して上へ貫通する収容溝（２２２）がある。該収容溝（２２２）の下方に位置限定溝（２２３）が設けられ、該位置限定溝（２２３）によって上述蓋板（４０）を上述収容溝（２２２）内に入れた後、上述蓋板（４０）と合致し、上述上蓋（６０）の結合を合わせると上述収容溝（２２２）の溝底面と上述蓋板（４０）の間に指示部材（７０）が挟まれ固定される。砥石セット（３０）は二枚の砥石（３１）より重ねてなり、該重ねた後に上述砥石セット（３０）の中央に砥ぎ空間が形成される。蓋板（４０）は適度な透明度があり、かつ上述収容槽（２２２）の形に合わせた板体である。該蓋板（４０）の頂部縁と底縁に上位置限定ピース（４１）と下位置限定ピース（４２）がそれぞれ伸び、上述蓋体（４０）は下位置限定ピース（４２）によって上述位置限定溝（２２３）の中に先に挿し込まれ、上述蓋板（４０）が上述収容溝（２２２）内に完全に収容される時、上述上蓋（６０）と上述メインベース（２０）の組み合わせを利用することで、上述上蓋（６０）の前端にある下へ曲がる阻止縁（６１）によって該上位置限定ピース（４１）が前へ離脱することを制限し、また上述上蓋（６０）が取り外しできる設計によって上述蓋板（４０）と指示部材（７０）は必要に応じて交換できる。制御レバー（５０）は通過孔（５１）があるリング体であり、該制御レバー（５０）の片側中央に結合部（５２）が設けられ、上述結合部（５２）は偏心方式によって押し付けブロック（５３）が形成され、該制御レバー（５０）は通過孔（５１）を利用して回避されるため、上述結合部（５２）によって上述貫通孔（２１１）より伸びた上述引っ張り棒（１１）にスムーズに枢接され、該制御レバー（５０）を捻ることによって上述押し付けブロック（５３）が偏心して上述第一本体部（２１）に当たるだけでなく、上述吸盤（１０）も引っ張られるため、その内部に真空吸引力が生じる。上蓋（６０）の前端に下へ曲がる阻止縁（６１）があり、頂部表面に透過孔（６２）が貫通され、該透過孔（６２）の後方に上へ隆起してV字型の窪みを有する支持ブロック（６３）がある。該支持ブロック（６３）の前端には上述二枚の砥石（３１）を重ね合わせて階段状に設け、上述砥石セット（３０）を上述メインベース（��０）の挿し込み孔（２２１）内に入れられる時、該上蓋（６０）と上述メインベース（２０）の第二本体部（２２）の締め付けによって、上述砥石セット（３０）は該メインベース（２０）に位置限定され、上述透過孔（６２）によって該砥石セット（３０）の上部が突き抜け、上述砥石セット（３０）の二枚の砥石（３１）はその後端によって上述支持ブロック（６３）に当てられることで、該当て合わせることによって刃物が研ぐ時の安定性が大幅に向上される。
【００１０】
上述吸盤（１０）とメインベース（２０）の間にバネが挟んで設けられる（図に未表示）。
【００１１】
上述挿し込み孔（２２１）、透過孔（６２）と支持ブロック（６３）は傾斜状を呈し、上述砥石セット（３０）は取り付けた後に後ろへ５から１０度の傾斜角（θ）ができる。
【００１２】
上述指示部材（７０）は企業または個人のイメージが掲載できるプレート（７１）である（同時に図１から図４を参照されたい）。
【００１３】
上述指示部材（７０）は砥ぎ性質が異なることによって区分できるラベル（７２）である（ベジタリアン用の砥ぎ器とベジタリアンではない砥ぎ器の間の区分は同時に図５と図６を参照されたい）。
【００１４】
上述蓋板（４０）の上位置限定ピース（４１）は数切れに分断される。
【００１５】
上述蓋板（４０）の表面は連続した起伏だったり（同時図１から図６を参照されたい）、ひし形状だったり（同時に図７を参照されたい）、または完全に平坦状だったり（同時に図８を参照されたい）できる。該異なった蓋板（４０）の取り付けによって、上述指示部材（７０）は見る時に異なった見た目の効果がある。
【００１６】
上述の構造によって、上述砥石ベースは任意に一つの滑らかな平坦表面を選んで使用できる。使用する際は先に吸盤（１０）を滑らかな平坦面に吸着させ、この時は制御レバー（５０）を捻ることで、制御レバー（５０）は押し付けブロック（５３）によって偏転進入して吸盤（１０）の引っ張り棒（１１）を引っ張り、同時にメインベース（２０）の周縁は吸盤（１０）の頂部表面を押さえ付けるため、吸盤（１０）は密着して、確実に吸着した後は鈍くなった刃物を砥石セット（３０）の二枚の砥石（３１）の間に置いて砥ぐことができる。
【００１７】
上述具体的な実施例の構造によって、以下の効果が得られる。（一）使用時に砥ぎ器本体は平面に吸着できるため、片手で握ったり、掴んだりする必要がなく、砥ぐ過程において掴む手が怪我する恐れがないため、使用上はより安全である。（二）上述蓋板（４０）と指示部材（７０）の取り付けによって、企業または個人のイメージが掲載でき、該吸着式砥ぎ器はお客様の異なる需要によってオーダーメイドでき、または消費者の使用習慣、砥ぐ性質が異なることにより、自分で区分することができ、該創新的なデザインによって上述吸着式砥ぎ器の実用性と付加価値が再び大幅に向上される。
【００１８】
以上をまとめると、本考案は確実に斬新な構造デザインを実現し、改良した創作内容であり、同時に産業における利用性と進歩性も有する。また本考案はほかの出版物に見られないため、新規性を有する。
【００１９】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２０】
１０        吸盤
１１        引っ張り棒
２０        メインベース
２１        第一本体部
２１１      貫通孔
２２        第二本体部
２２１      挿し込み孔
２２２      収容溝
２２３      位置限定溝
３０        砥石セット
３１        砥石
４０        蓋板
４１        上位置限定ピース
４２        下位置限定ピース
５０        制御レバー
５１        通過孔
５２        結合部
５３        押し付けブロック
６０        上蓋
６１        阻止縁
６２        透過孔
６３        支持ブロック
７０        指示部材
７１        プレート
７２        ラベル
θ          傾斜角
【図１】
0003222327.tif 000003
【図２】
0003222327.tif 000004
【図３】
0003222327.tif 000005
【図４】
0003222327.tif 000006
【図５】
0003222327.tif 000007
【図６】
0003222327.tif 000008
【図７】
0003222327.tif 000009
【図８】
0003222327.tif 000010